(57)【特許請求の範囲】
【請求項１】
表示パネルを上下の枠の間に挟み込むように配置するとともに、下側の枠に取付用の孔を形成した表示装置において、前記下側の枠の前記取付用孔と前記表示パネルの間に位置する部分に前記表示パネルとの間に所定の隙間を形成するための窪みを形成したことを特徴とする表示装置。
【請求項２】
表示パネルを上下の枠の間に挟み込むように配置するとともに、下側の枠に取付用の孔を形成した表示装置において、前記下側の枠の前記取付用孔と前記上側の枠の間に位置する部分に前記上側の枠との間に所定の隙間を形成するための窪みを形成したことを特徴とする表示装置。
【請求項３】
表示パネルを上下の枠の間に挟み込むように配置するとともに、前記上下の枠の側面に取付用の孔を形成した表示装置において、前記上側もしくは下側の枠の前記取付用孔の下側に位置する下面部分に所定の窪みを形成したことを特徴とする表示装置。
【請求項４】
前記取付用孔は下側の枠の側面もしくは下面に形成していることを特徴とする請求項１もしくは請求項２記載の表示装置。
【請求項５】
前記取付用孔は前記表示パネルと平面的な重なりをもって配置していることを特徴とする請求項１もしくは請求項２記載の表示装置。
【発明の詳細な説明】
【０００１】
【発明の属する技術分野】
本発明は、液晶表示装置などの表示装置に関わり、外周部に周辺部品への取付用の孔を備える表示装置に関する。
【０００２】
【従来の技術】
液晶表示装置に代表される平面型の表示装置は、１つの部品と同様に扱えるようにモジュール化され、パソコンやモニターなどのケース内にビス止め固定して使用されている。モジュール化された表示装置を前記ケースに固定するための代表的な構造としては、表示装置の両側に設けた耳状の取付片を利用して表示面と垂直方向にネジ止めするものが知られているが、前記取付片の存在によって装置の周辺部の額縁と呼ばれる部分の幅を狭くすることができなかった。そこで、狭額縁化に対応するために、従来両側に配置していたビス止め用の取付片を省略し、装置の側面を利用して表示面と平行な方向にビス止めを行なう構造が提案されている。
【０００３】
【発明が解決しようとする課題】
上記のように表示装置の側面を利用して表示面と平行な方向にビス止めを行なうことを可能とした構造において、実際に表示装置をビス止めして使用すると、振動などの外部応力がパネルに伝達しやすく、それによって表示状態に悪影響（パドリング、リップルの発生）を与えることが分かった。
【０００４】
そこで本発明は、表示装置の固定部分を介してパネルに伝わる外部応力を低減することを課題の１つとする。また、表示状態を良好に保つ構造を提供することを課題の１つとする。
【０００５】
【課題を解決するための手段】
本発明の表示装置は請求項１に記載のように、表示パネルを上下の枠の間に挟み込むように配置するとともに、下側の枠に取付用の孔を形成した表示装置において、前記下側の枠の前記取付用孔と前記表示パネルの間に位置する部分に前記表示パネルとの間に所定の隙間を形成するための窪みを形成したことを特徴とする。
【０００６】
本発明の表示装置は請求項２に記載のように、表示パネルを上下の枠の間に挟み込むように配置するとともに、下側の枠に取付用の孔を形成した表示装置において、前記下側の枠の前記取付用孔と前記上側の枠の間に位置する部分に前記上側の枠との間に所定の隙間を形成するための窪みを形成したことを特徴とする。
【０００７】
本発明の表示装置は請求項３に記載のように、表示パネルを上下の枠の間に挟み込むように配置するとともに、前記上下の枠の側面に取付用の孔を形成した表示装置において、前記上側もしくは下側の枠の前記取付用孔の下側に位置する下面部分に所定の窪みを形成したことを特徴とする。
【０００８】
本発明の表示装置は請求項４に記載のように、前記取付用孔は下側の枠の側面もしくは下面に形成していることを特徴とする。
【０００９】
本発明の表示装置は請求項５に記載のように、前記取付用孔は前記表示パネルと平面的な重なりをもって配置していることを特徴とする。
【００１０】
【発明の実施の形態】
以下本発明の実施例を液晶表示装置を例にとって図面を参照して説明する。図１はモジュール化された液晶表示装置１の平面図、図２は図１のＡ部分における断面図、図３は図１のＡ部分の一部切り欠き状態の拡大平面図、図４は図１のＡ部分の側面図である。
【００１１】
液晶表示装置１は図１に示すように平面形状が矩形で、中央に液晶タイプの表示パネル２が露出している。表示装置１の周囲は枠３によって囲まれて額縁形状を成している。
【００１２】
枠３は、表示パネル２の上下を挟み込むように配置した上下の枠４，５によって構成している。上側の枠４は、直交する上面４ａと側面４ｂを一体に備えるように板金加工した金属製の枠で構成している。下側の枠５は、表示パネル２の外周を支え得る形状に加工した樹脂製の枠によって構成している。
【００１３】
表示パネル２は、液晶を挟持したガラス基板６，６の外側に偏光板７，７を配置した構成としている。表示パネル２が透過式であるため、その下側にバックライト装置８を配置している。バックライト装置８は、表示パネル２と同等の平面形状を成しており、導光板９とその上に配置した光学シート１０と、導光板９の下に配置した反射シート１１と、導光板９の側面に配置した光源（図示せず）等によって構成している。表示パネル２が反射式の場合などには、バックライト装置８は必ずしも設けなくても良いし、偏光板７も一枚で良い。
【００１４】
下側の枠５はその１つの辺の断面形状が図２に示すようになっており、外から内側に向かって徐々に低くなる複数の段差部を備えた階段形状を成している。下側の枠５の肉厚部には、図２に示すように取付用孔としてのネジ孔１２を形成している。このネジ孔１２は、下側の枠５に埋め込まれた金属製で筒状の受け部材１３に形成しているが、樹脂部分に直接を形成してもよい。また、枠４の側面４ｂにバーリング加工などを施した上でネジ孔を形成することもできる。
【００１５】
段差部の上段部５ａは、枠４の上面４ａ裏側に当接もしくは近接しているとともに、パネル２の側方に位置している。上段部５ａの内、ネジ孔１２の上方に位置する領域、すなわちネジ孔１２と枠４の上面４ａとの間に位置する領域には、上面４ａ裏側との間に他の上段部５ａより十分に広い所定間隔を保つように窪ませた窪み部１４を形成している。窪み部１４は、図３、図４に示すように、ネジ孔１２の直径よりも十分長い範囲に亘って形成している。段差部の中段部５ｂは、表示パネル２の端を支えることができるように、パネル２の端部の下側に当接もしくは近接して配置している。中段部５ｂの内、ネジ孔１２の上方に位置する領域、すなわち、ネジ孔１２とパネル２の間に位置する領域には、パネル２との間に他の中段部５ｂより十分に広い所定間隔を保つように窪ませた窪み部１５を形成している。窪み部１５も窪み部１４と同様の範囲に形成されている。段差部の下段部５ｃは、バックライト装置８の端部を支えることができるように、バックライト装置８の端の下側に当接もしくは近接して配置している。
【００１６】
上側の枠４の側面４ｂには、前記ネジ孔１２と対応して前記ネジ孔１２と同等かそれ以上の大きさの孔１６を形成している。表示装置の孔１２の下側に位置する部分には、所定の窪み部１７を形成している。この窪み部１７は、孔１６の下側に位置する側面４ｂの一部分を、前記孔１６の幅よりも広い範囲にわたって切り欠くことによって形成している。この窪み部１７の最上部は、表示装置１の最下面よりも高い個所に位置する。側面４ｂの適所には、枠４と枠５を固定するために折り曲げられる固定用の小片１８を形成している。
【００１７】
図１のＡ付近に形成した上記ネジ孔１２やその周辺に位置する段差構造は、図１のＢ，Ｃ，Ｄに示す領域にも同様に形成されている。すなわち、ネジ孔１２やその関連構造は、表示装置２の対向する２つの辺、この例では短辺の各々に所定間隔をおいて形成している。この構造は短辺以外にも、残りの対向する２つの辺、この例では長辺にも形成することができる。また、１つの辺に２個所ではなく３個所以上配置しても良い。
【００１８】
組み立てられた表示装置１は、ネジ孔１２にネジ（図示せず）を填め込むことによってパソコンやモニター等の取付個所（金属ステー）に固定されて利用される。ここで、ネジ受け部分となるネジ孔１２を介して外部からの振動や衝撃などの外部応力が表示装置１に伝わりやすい。特に、表示装置１の厚さが数ｍｍ前後と極めて薄くなるに従い、表示装置１がひねりや振動の影響を受けやすくなる。その結果、ネジ孔１２周辺に位置する樹脂枠５が外部応力の影響を受けて変形しやすい。この変形などによって、表示パネル２に直接的に不必要な力が作用し、表示状態に悪影響（パドリング、リップル等の発生）を与える。また、枠４と枠５の上段部５ａの接触によって間接的に表示パネル２に不必要な力が作用し表示状態に悪影響を与える。特に、表示パネル２として液晶タイプのものを用いてパネル２と枠４の間を近接して配置している場合は、ネジ孔１２部分を介して表示パネル２に加わる応力によってパネルのギャップが変化して表示状態に影響が出やすい。
【００１９】
そこで、ネジ孔１２周囲の形状に変更を加えることにより、外部応力の影響を回避する構造とした。すなわち、上記のようにネジ孔１２と枠４の間に窪み部１４を形成したので、ネジ孔１２や孔１６に加わる力に起因する応力よって上段部５ａが上下しても、その影響を窪み部１４が吸収・分散する。また、上記のようにネジ孔１２とパネル２の間に窪み部１５を形成したので、ネジ孔１２や孔１６に加わる力に起因する応力よって中段部５ｂが上下しても、その影響を窪み部１５が吸収・分散する。さらにまた、上記のようにネジ孔１２の下側に窪み部１７を形成したので、ネジ孔１２や孔１６に加わる力に起因する応力よって側面４ｂが上下しても、その影響を窪み部１７が吸収・分散する。
【００２０】
前記窪み部１４，１５は、０．２〜０．５ｍｍ程度の深さで、図３に１点鎖線のクロスハッチングで示す領域に形成している。窪み部１７も０．２〜０．５ｍｍ程度の深さに形成している。窪み部１４，１５，１７の深さを、通常生じる隙間よりも十分大きな０．２ｍｍ以上の大きさにすることにより、上記外力を効果的に吸収もしくは分散することができる。
【００２１】
上記のようにネジ孔１２の上下に窪み部１４，１５，１７を配置しているので、表示装置２をネジ孔１２を利用してネジ止めした場合に、ネジ孔１２近傍に集中する力を吸収もしくは周辺に効果的に分散することができ、表示パネル２に及ぼす悪影響を低減することができる。
【００２２】
尚、上記実施例はネジ孔１２を表示装置１の側面に臨む位置に配置した場合を例に取ったが、本発明はそれ以外の構造にも適用することができ、例えば図５に示すように、ネジ孔１２を表示装置の底面に臨む位置に形成した場合にも適用することができる。ここで、いずれの場合にもネジ孔１２は、表示パネル２と平面的に重なる位置に配置しているので、表示パネル２と平面的に重ならない位置に配置する場合に比べて、狭額縁化を図ることができる。また、上記実施例は液晶表示装置を例に取ったがＥＬパネルを用いた表示装置など、他の表示装置にも適用することができる。
【００２３】
【発明の効果】
以上のように本発明によれば、取付用の孔を介して加わる外部応力を孔の周囲に配置した窪み部によって吸収もしくは周囲に分散することができる。その結果、表示パネルに応力が集中することに起因する表示状態の低下を防止して表示品位を良好に保つことができる。また、薄型化構造もしくは狭額縁化構造の表示装置を提供することができる。
【図面の簡単な説明】
【図１】本発明の一実施例に関わる表示装置の平面図である。
【図２】図１のＡ部分の断面図である。
【図３】図１のＡ部分の一部切り欠き状態の拡大平面図である。
【図４】図１のＡ部分の側面図である。
【図５】本発明の他の実施例に関わる表示装置の断面図である。
【符号の説明】
１  表示装置
２  表示パネル
４  枠
５  枠
１２  ネジ孔
１４  窪み部
１５  窪み部
１７  窪み部
【図１】
0003631121.tif 000002
【図２】
0003631121.tif 000003
【図３】
0003631121.tif 000004
【図４】
0003631121.tif 000005
【図５】
0003631121.tif 000006